(57)【要約】【課題】容器本体に収容された内容物を塗布する塗布容器において、流通工程や持ち運びなどの際に、カバーキャップが開栓方向に弛んでしまうこと防止した塗布容器を提供する。【解決手段】容器本体Ａと、容器本体Ａの口部１に取り付けられて容器本体Ａに収容された内容物を塗布する塗布ボールＣを保持した中栓Ｂと、中栓Ｂに被せられるカバーキャップＤとを備え、口部１の外周面に形成された雄ネジ部４と、カバーキャップＤの内周面に形成された雌ネジ部２５との締結によって、カバーキャップＤが容器本体Ａの口部１に対して着脱自在に装着される塗布容器であって、雌ネジ部２５を構成するネジ山は、その軸線に対して雄ネジ部４を構成するネジ山と接する面のなす角度が０゜〜１０゜の範囲にある。【選択図】図１
0003129961.tif 000002
【実用新案登録請求の範囲】
【請求項１】
容器本体と、前記容器本体の口部に取り付けられて前記容器本体に収容された内容物を塗布する塗布部材と、前記塗布部材に被せられるカバーキャップとを備え、前記口部の外周面に形成された雄ネジ部と前記カバーキャップの内周面に形成された雌ネジ部との締結によって、前記カバーキャップが前記容器本体の口部に対して着脱自在に装着される塗布容器であって、
前記雌ネジ部を構成するネジ山は、その軸線に対して前記雄ネジ部を構成するネジ山と接する面のなす角度が０゜〜１０゜の範囲にあることを特徴とする塗布容器。
【請求項２】
前記塗布部材は、塗布ボールと、前記塗布ボールを回転自在に保持する中栓とを有し、前記容器本体を倒立させた状態で、前記塗布ボールを塗布面に押し当てながら転動させることによって、前記塗布ボールに付着した内容物が前記塗布面に転写されて塗布されることを特徴とする請求項１に記載の塗布容器。
【考案の詳細な説明】
【技術分野】
【０００１】
本考案は、容器本体に収容された内容物を塗布する塗布容器に関する。
【背景技術】
【０００２】
従来より、制汗剤などを塗布する塗布容器には、ロールオンタイプや、エアゾールタイプ、スティック状タイプなどがある。このうち、ロールオンタイプの塗布容器では、一般的に店頭展示性の点から、内容物を収容する容器本体にガラス瓶が用いられている。一方、容器本体の口部に取り付けられる塗布部材には、ポリプロピレン樹脂などでインジェクション成形された又はブロー成形された球状体の表面を研磨してなる塗布ボール（マーブル）を回転自在に保持するようにポリエチレン樹脂などで形成された中栓が用いられている。また、この塗布部材に被せるカバーキャップには、ポリプロピレン樹脂などが用いられている。
【０００３】
このようなロールオンタイプの塗布容器では、カバーキャップを外したときに、塗布ボールと中栓との間に流路が確保されている。これにより、塗布ボール表面に内容物が付着可能となる。そして、容器本体を倒立させた状態で、塗布ボールを塗布面に押し当てながら転動させることによって、流路を通じて塗布ボールに付着した内容物を塗布面に転写しながら塗布することができる。
【０００４】
ところで、流通工程や持ち運びの際には、内容物の漏れが生じないように、カバーキャップで塗布ボールを中栓に押し付けて流路を閉鎖した状態とすると共に、このカバーキャップに設けられた雌ネジ部を容器本体の口部に設けられた雄ネジ部に所定のトルクで締め込む必要がある。
【０００５】
しかしながら、従来の塗布容器では、流通工程や持ち運びなどの際に、容器本体の雄ネジ部とカバーキャップの雌ネジ部との締結力が低下してカバーキャップが開栓方向に弛んでしまうことがある。このカバーキャップの締結力の低下は、上述したカバーキャップで塗布ボールを中栓に押し付けたときに中栓が弾性変形し、この弾性変形の反力がカバーキャップを弛める方向のトルクを生じさせるためと考えられる。すなわち、このカバーキャップを弛める方向のトルクが実際にカバーキャップを開けるのに必要なトルクよりも大きい場合には、カバーキャップが開栓方向に戻り易くなるとが考えられる。
【０００６】
これを防ぐために、従来の塗布容器では、カバーキャップの雌ネジ部又は容器本体の雄ネジ部を構成するネジ山の面部や頂部或いはネジ谷に凸部などの抵抗部を設け、カバーキャップを開栓方向に戻りづらくするといった工夫が行われている（例えば、特許文献１〜４を参照）。しかしながら、このような抵抗部を設けた場合には、カバーキャップの開閉時に抵抗部の磨耗によって摩耗粉が生じたり、逆に抵抗が強すぎて開栓しづらくなったりすることがあり、更なる改善が求められている。
【０００７】
なお、上述したロールオンタイプの塗布容器では、カバーキャップが塗布ボールを押し付けながら、このカバーキャップの雌ネジ部に容器本体の雄ネジ部が締結される構造であるが、上述した容器本体の雄ネジ部とカバーキャップの雌ネジ部との締結力が低下してカバーキャップが開栓方向に弛んでしまうことは、ネジ部の締結によるキャップ付き容器において共通する課題である。特に、容器本体がガラス瓶からなる場合は、成形加工上の点から雄ネジ部の断面形状は半円状で滑り易いため、カバーキャップが開栓方向に弛みやすい傾向にある。
【特許文献１】特開２００３−２９４１４４号公報
【特許文献２】特表２００３−５０８３１０号公報
【特許文献３】特開２００３−２８１１０１号公報
【特許文献４】実開昭５８−７９５４１号公報
【考案の開示】
【考案が解決しようとする課題】
【０００８】
本考案は、このような従来の事情に鑑みて提案されたものであり、容器本体に収容された内容物を塗布する塗布容器において、流通工程や持ち運びなどの際に、カバーキャップが開栓方向に弛んでしまうこと防止した塗布容器を提供することを目的とする。
【課題を解決するための手段】
【０００９】
この目的を達成するために、請求項１に係る考案は、容器本体と、前記容器本体の口部に取り付けられて前記容器本体に収容された内容物を塗布する塗布部材と、前記塗布部材に被せられるカバーキャップとを備え、前記口部の外周面に形成された雄ネジ部と、前記カバーキャップの内周面に形成された雌ネジ部との締結によって、前記カバーキャップが前記容器本体の口部に対して着脱自在に装着される塗布容器であって、前記雌ネジ部を構成するネジ山は、その軸線に対して前記雄ネジ部を構成するネジ山と接する面のなす角度が０°〜１０°の範囲にあることを特徴とする塗布容器である。
【００１０】
また、請求項２に係る考案は、前記塗布部材は、塗布ボールと、前記塗布ボールを回転自在に保持する中栓とを有し、前記容器本体を倒立させた状態で、前記塗布ボールを塗布面に押し当てながら転動させることによって、前記塗布ボールに付着した内容物が前記塗布面に転写されて塗布されることを特徴とする請求項１に記載の塗布容器である。
【考案の効果】
【００１１】
以上のように、本考案の請求項１に係る塗布容器では、雌ネジ部を構成するネジ山の傾斜角度を０゜〜１０゜とすることで、カバーキャップを弛める方向のトルクを実際にカバーキャップを開けるのに必要なトルクよりも小さくすることができる。これにより、流通工程や持ち運びなどの際に、容器本体の雄ネジ部とカバーキャップの雌ネジ部との締結力が低下してカバーキャップが開栓方向に弛んでしまうことを確実に防止することができる。
【００１２】
また、請求項２に係る考案では、カバーキャップを外したときに塗布ボールと中栓との間に流路が確保され、カバーキャップで塗布ボールを中栓に押し付けながら流路を閉鎖した状態とする塗布容器であっても、カバーキャップを弛める方向のトルクを実際にカバーキャップを開けるのに必要なトルクよりも小さくできるため、容器本体の雄ネジ部とカバーキャップの雌ネジ部との締結力が低下してカバーキャップが開栓方向に弛んでしまうことを確実に防止することができる。
【考案を実施するための最良の形態】
【００１３】
以下、本考案を適用した塗布容器について、図面を参照して詳細に説明する。
本考案を適用した塗布容器は、例えば図１に示すように、容器本体Ａと、この容器本体Ａの口部１に取り付けられて容器本体Ａに収容された内容物を塗布する塗布部材として塗布ボールＣを保持した中栓Ｂと、この中栓Ｂに被せられるカバーキャップＤとを備えている。
【００１４】
容器本体Ａは、口部１と、この口部１の下方に底面部から立設された胴部２とを備え、口部１の外周面には、上端に嵌合突部３が設けられ、その下方には雄ネジ部４が形成されている。なお、容器本体Ａに収容される内容物については、例えば、液体やクリーム状の化粧料、従来より一般に使用されている液体洗剤や液体漂白剤、或いは薬剤などを挙げることができ、特に限定されるものではない。
【００１５】
中栓Ｂは、図２に示すように、容器本体Ａの口部１に取り付けるための嵌合筒部Ｂ１と、塗布ボールＣを保持するための保持部Ｂ２とを有している。また、嵌合筒部Ｂ１は、外筒５と内筒６と上壁７とから構成されている。このうち、外筒５の内周上部には、嵌合突部３の外周面に接圧される膨出部８が設けられている。一方、外筒５の内周下端には、嵌合突部３に係合する係合突部９が設けられている。また、内筒６の外周は、口部１の内周と係合して、容器本体Ａを密閉状態とする。
【００１６】
上壁７の上面には、塗布ボールＣを保持する保持筒１０が立設されている。保持筒１０の内周面１１は、ほぼ球面状となっており、この内周面１１の下方には、突出リング１２が設けられている。そして、この保持筒１０と突出リング１２によって、塗布ボールＣの保持部Ｂ２が構成されている。
【００１７】
保持筒１０の内周面１１には、その上端１３から下方に延び、突出リング１２の根本部近くに至る複数の溝部１４が等間隔に設けられている。この溝部１４は、内周面１１の上端１３では幅広となっている。なお、溝部１４の深さや幅、本数などは、内容物の種類や粘度などによって任意に設定することができ、これによって、塗布量や液貯溜量などを適宜変更することができる。
【００１８】
突出リング１２の上端面１５は、閉蓋時に塗布ボールＣとシール状態で接合するようになっている。一方、突出リング１２の下側面は、傾斜面を介して内筒６の内周上端と接続し、容器本体Ａとの連通孔１６を形成している。
【００１９】
塗布ボールＣは、図３に示すように、球体に成形され、容器本体Ａの正立時には、突出リング１２の上端面１５に保持される。また、塗布ボールＣの上方の一定部分は、保持筒１０の上端１３より突出するようになっている。また、塗布ボールＣと突出リング１２との間には流路が設けられ、さらに、塗布ボールＣと保持筒１０の内周面１１との間には間隙が設けられ、この間隙は上方に向かうに従って狭くなっている。そして、この間隙と下端の突出リング１２によって、液溜め部１７が形成されている。また、塗布ボールＣは、容器本体Ａの倒立時には、保持筒１０上端１３の内周面に接合して上方への移動が阻止され、一定範囲で上下動されるようになっている。
【００２０】
カバーキャップＤは、図１に示すように、頂壁２０と側周壁２１とを有している。このうち、頂壁２０の下面中央部には、ボール押えリング２２が垂下されている。また、頂壁２０の周縁部近くの内側には、垂直壁２３が形成され、この垂直壁２３の内周縁には、中栓押えリング２４が垂下されている。一方、側周壁２１の内周面には、上記容器本体Ａの雄ネジ部４と締結される雌ネジ部２５が形成されている。
【００２１】
この塗布容器では、図１及び図３に示すように、容器本体Ａに内容物を入れ、口部１に塗布ボールＣを回転自在に保持する中栓Ｂが取り付けられて、その上からカバーキャップＤが着脱自在に装着される。その際、塗布ボールＣがカバーキャップＤのボール押えリング２２により押圧されて、中栓Ｂの突出リング１２に圧接されることにより、塗布ボールＣと突出リング１２との間の流路が閉鎖された状態となる。また、中栓押えリング２４が保持筒１０の上端１３面に圧接されることによって、塗布ボールＣを保持した中栓Ｂ内と外気との連通が遮断される。
【００２２】
一方、この塗布容器に収容された内容物を塗布する際には、図５に示すように、カバーキャップＤを外して、容器本体Ａを倒立させる。これにより、塗布ボールＣが移動し、内容物が連通孔１６を通じて、塗布ボールＣと突出リング１２の間の流路から液溜め部１７に流入する。次に、塗布ボールＣを塗布面に押し当てながら転動させる。これにより、塗布ボールＣと保持筒１０の上端１３との間に間隙が形成される。そして、この塗布ボールＣの回転により、保持筒１０の上端１３と塗布ボールＣとの間に内容物が注出され、塗布ボールＣに付着し、この塗布ボールＣに付着した内容物が塗布面に転写されて塗布される。
【００２３】
塗布後は、図１に示すように、塗布容器を正立に戻して、カバーキャップＤで塗布ボールＣを中栓Ｂに押し付けながら、このカバーキャップＤの雌ネジ部２５を容器本体Ａの雄ネジ部４に所定のトルクで締め込むことによって容器本体Ａを密封状態とする。このとき、ボール押えリング２２と中栓押えリング２４が、それぞれ塗布ボールＣと保持筒１０に圧接され、塗布ボールＣと突出リング１２の上端面１５との間が密閉される。
【００２４】
また、塗布ボールＣに付着していた内容物は、上部ではボール押えリング２２によって密閉状態が保持される。一方、ボール押えリング２２と保持筒１０の上端１３との間に付着していた内容物は、塗布ボールＣを伝って下方に流れ、保持筒１０の内周面１１と塗布ボールＣとの間に形成される液溜め部１７に溜められる。なお、ボール押えリング２２と保持筒１０の上端１３との間の距離は短いので、その間に付着している内容物は少ない。また、内容物は、塗布ボールＣと保持筒１０の上端１３との間隙が少なくても、溝部１４を通って流れ落ちるので効果的である。 
【００２５】
塗布容器が閉蓋後に倒れたとき、或いは携帯中に倒立状態になったときには、液溜め部１７内の内容物が保持筒１０の内周面１１上端１３と塗布ボールＣとの間隙、及び溝部１４から漏れるが、ボール押えリング２２と中栓押えリング２４、塗布ボールＣとによって形成される狭い空間内に拡散される。そして、塗布容器を正立状態に戻したときには、内容物が再び液溜め部１７に戻される。
【００２６】
内容物は、容器本体Ａの正立時と倒立時に、保持筒１０の上端１３に止まることはなく、容器本体Ａが横倒しとなったときでも、液溜め部１７の内容物は少量であり、また、中栓押えリング２４により保持筒１０の上端１３は密閉されているので、保持筒１０の外周に液垂れすることは完全に阻止される。
【００２７】
また、ボール押えリング２２により密閉された塗布ボールＣの上面に付着した内容物は、次の開蓋まで付着したままの状態が保たれる。そして、塗布を開始するときには、塗布ボールＣの上面の内容物がそのまま塗布され、次いで、液溜め部１７の内容物が塗布ボールＣに付着し、塗布動作は開始時から滞りなく行われる。
【００２８】
また、塗布後に、カバーキャップＤを閉蓋しておくと、中栓押えリング２４により中栓Ｂの内部と外気との連通を遮断するので、空気中の雑菌の侵入による内容物の変質や、乾燥による変質を防ぐことができる。
【００２９】
ところで、本考案の塗布容器において、カバーキャップＤの雌ネジ部２５を構成するネジ山は、図５に示すように、その軸線に対して容器本体Ａの雄ネジ部４を構成するネジ山と接する面２５ａのなす傾斜角度θ１が、０゜≦θ１≦１０゜の範囲に設定されている。
【００３０】
ここで、上述した塗布容器では、カバーキャップＤで塗布ボールＣを中栓Ｂに押し付けたときに中栓Ｂが弾性変形し、この弾性変形の反力がカバーキャップＤを弛める方向のトルクを生じさせることから、カバーキャップＤの締結力の低下を防ぐためには、このカバーキャップＤを弛める方向のトルクを実際にカバーキャップＤを開けるのに必要なトルクよりも小さく抑える必要がある。
【００３１】
これに対して、本考案の塗布容器では、上述した雌ネジ部２５を構成するネジ山の傾斜角度θ１を上記範囲に設定することで、カバーキャップＤを弛める方向のトルクを実際にカバーキャップＤを開けるのに必要なトルクよりも小さくすることができる。また、上述した雌ネジ部２５を構成するネジ山の傾斜角度θ１の更に好ましい範囲は、３゜≦θ１≦８゜である。
【００３２】
これにより、本考案の塗布容器では、流通工程や持ち運びなどの際に、容器本体Ａの雄ネジ部４とカバーキャップＤの雌ネジ部２５との締結力が低下してカバーキャップＤが開栓方向に弛んでしまうことを確実に防止することができる。特に、容器本体Ａがガラス瓶からなる場合は、成形加工上の点から雄ネジ部４の断面形状は半円状で滑り易いため、カバーキャップＤが開栓方向に弛みやすい傾向にあるが、本考案の塗布容器では、このようなカバーキャップＤが開栓方向に弛むことに起因する内容物の漏れを確実に防止することができる。
【００３３】
なお、上記雌ネジ部２５を構成するネジ山において、軸線に対して雄ネジ部４を構成するネジ山と接する面２５ａとは反対側の面２５ｂのなす傾斜角度θ２については、ネジ山の形状変形によるオーバーランの防止の点から、２５゜≦θ２≦４０゜の範囲に設定することが好ましい。
【００３４】
以上、本考案の塗布容器について説明してきたが、本考案はこれに限定されるものではなく、考案の趣旨を逸脱しない範囲で、適宜変更が可能である。
例えば、本考案は、上述した化粧料、液体洗剤や液体漂白剤、薬剤等の液体を収容したもの以外にも、容器本体に収容された内容物を塗布する塗布部材を備えた塗布容器に対して幅広く適用することが可能である。
【００３５】
また、容器本体の内部に収容された内容物を塗布する塗布部部材については、上述した塗布ボールに付着した内容物を塗布面に塗布する形態以外にも、ノズルや、メッシュ、ブラシ、櫛、含浸部材などの形態を有するものであってもよい。
【実施例】
【００３６】
以下、実施例により本考案の効果をより明らかなものとする。なお、本考案は、以下の実施例に限定されるものではなく、その要旨を変更しない範囲で適宜変更して実施することができる。
【００３７】
本実施例では、上述した図１に示す構成と同様の塗布容器において、カバーキャップの雌ネジ部を構成するネジ山の傾斜角度θ１を、０゜（実施例１）、５゜（実施例２）、８゜（実施例３）、１０゜（実施例４）と変化させた場合について、カバーキャップを弛める方向のトルクＴ１、及び、実際にカバーキャップを開けるのに必要なトルクＴ２を求めた。なお、雌ネジ部２５を構成するネジ山の傾斜角度θ２は３５゜に設定した。
【００３８】
また、比較例１として、図６（ａ）に示すように、カバーキャップの雌ネジ部を構成するネジ山の傾斜角度θ１，θ２を２０゜とした以外は、上述した図１に示す構成と同様の塗布容器を作製した。
【００３９】
また、比較例２として、図６（ｂ）に示すように、カバーキャップの雌ネジ部を構成するネジ山の傾斜角度θ１，θ２を２０゜とすると共に、カバーキャップの雌ネジ部のネジ谷の径を比較例１よりも小さくして、容器本体の雄ネジ部のネジ山と接触するようにした以外は、上述した図１に示す構成と同様の塗布容器を作製した。
【００４０】
そして、これら比較例１，２の塗布容器についても、実施例１〜４と同様に、カバーキャップを弛める方向のトルクＴ１、及び、実際にカバーキャップを開けるのに必要なトルクＴ２を求めた。
【００４１】
カバーキャップを弛める方向のトルクＴ１、及び、実際にカバーキャップを開けるのに必要なトルクＴ２の測定については、先ず、カバーキャップの閉栓時における中栓の変移寸法、及び、雌ネジ部を構成するネジ山にかかる荷重Ｗを測定した。そして、測定された荷重Ｗから、カバーキャップを弛める方向の力Ｆ［Ｎ］、及び、カバーキャップを弛める方向のトルクＴ１［Ｎ・ｃｍ］を、以下の式により算出して求めた。（参考文献：「ねじ締結の理論と計算」山本晃著  養賢堂；「機械設計演習」  岩浪繁蔵編  産業図書）
Ｆ＝Ｗ×｛（μ×π×ｄ／ｃｏｓα−ｐ）÷（πｄ＋μ×ｐ／ｃｏｓα）｝
Ｔ１＝Ｆ×ｄ／２
なお、μは摩擦係数、ｄは雌ネジ部のネジ山有効径、αは雌ネジ部のネジ山の傾斜角度、ｐは雌ネジ部のネジ山のピッチである。
【００４２】
そして、これら実施例１〜４及び比較例１，２の塗布容器について、それぞれ３０個のサンプルを作製し、カバーキャップの雌ネジ部を容器本体の雄ネジ部にトルク１５０Ｎ・ｃｍで締結した後に、実際にカバーキャップを開けるのに必要なトルクＴ２［Ｎ・ｃｍ］を測定し、その平均値と最小値及び最大値を求めた。
【００４３】
さらに、実施例１〜４及び比較例１，２の塗布容器について、カバーキャップの雌ネジ部を容器本体の雄ネジ部にトルク１５０Ｎ・ｃｍで締結した後、２４時間後にカバーキャップの弛みが発生した個数と、その発生率（％）について測定した。以下、これらをまとめた測定結果を表１に示す。
【００４４】
【表１】
0003129961.tif 000003
【００４５】
表１に示す測定結果から、実施例１〜４の塗布容器では、何れもカバーキャップを弛める方向のトルクＴ１が、実際の開けトルクＴ２（最小値）よりも小さくなっていることがわかる。また、カバーキャップの弛みの発生も確実に抑えられている。
【００４６】
一方、比較例１の塗布容器では、カバーキャップを弛める方向のトルクＴ１が、実際の開けトルクＴ２（最小値）よりも大きくなっていることがわかる。その結果、カバーキャップの弛みの発生も十分に抑えられていないことがわかる。
【００４７】
また、比較例２の塗布容器では、実際の開けトルクＴ２のばらつきが大きいことがわかる。その結果、カバーキャップが弛みづらいものの、実際の開けトルクＴ２が他に比べて大きく、カバーキャップを開けづらいことがわかる。
【００４８】
以上のことから、本考案の塗布容器では、容器本体の雄ネジ部とカバーキャップの雌ネジ部との締結力が低下してカバーキャップが開栓方向に弛んでしまうことを確実に防止することができる。さらに、本考案は、塗布部材として塗布ボールが中栓に保持された塗布容器において、特に効果的である。
【図面の簡単な説明】
【００４９】
【図１】図１は、本考案を適用した塗布容器の一例を示す正面図である。
【図２】図２は、中栓の構成を示し、（ａ）は、その縦断面図であり、（ｂ）は、その平面図である。
【図３】図３は、図１に示す塗布容器の要部を拡大して示す断面図である。
【図４】図４は、図１に示す塗布容器の使用時の状態を示す正面図である。
【図５】図５（ａ）は、容器本体の雄ネジ部とカバーキャップの雌ネジ部との締結状態を示す断面図であり、図５（ｂ）は、その締結部分を拡大した断面図である。
【図６】図６（ａ）は、比較例１として示す塗布容器の締結部分を拡大した断面図であり、図６（ｂ）は、比較例２として示す塗布容器の締結部分を拡大した断面図である。
【符号の説明】
【００５０】
Ａ…容器本体  Ｂ…中栓  Ｃ…塗布ボール  Ｄ…カバーキャップ  １…口部  ４…雄ネジ部  ２５…雌ネジ部
【図１】
0003129961.tif 000004
【図２】
0003129961.tif 000005
【図３】
0003129961.tif 000006
【図４】
0003129961.tif 000007
【図５】
0003129961.tif 000008
【図６】
0003129961.tif 000009